(57)【要約】【課題】追記型ディスクで記録開始手前セクタでのテスト発光によるパワー補正を行うとテスト発光領域を２度書きすることがある。【解決手段】追記型ディスクであるか否か、２度書きになるか否かを検出して、テスト発光によるパワー補正方法を切り替えることでテスト発光領域への２度書きを防止することができる光ディスク装置を提供する。【選択図】図１
2009123262.tif 000002
【特許請求の範囲】
【請求項１】
装填された情報担体が追記型情報担体か否か判定する追記型ディスク判定手段と、
情報担体の記録セクタの先頭のテスト発光領域にて記録パワーでテスト発光し、目標パワーとのずれを補正するテスト発光手段と、
データを情報担体に記録するデータ記録手段と、
テスト発光が２度書きになるか否かを判定する上書判定手段と、
前記追記型ディスク判定手段により追記型情報担体であると判定され、前記上書判定手段により２度書きになると判定された場合、前記テスト発光手段の動作を実施しないことを決定するテスト発光選択手段とを備えたことを特徴とする光ディスク装置。
【請求項２】
記録開始セクタのテスト発光領域にてテスト発光手段を動作させた直後はデータ記録手段を動作させず一旦通過し、記録開始セクタへ戻った後で記録先頭セクタのテスト発光領域にて前記テスト発光手段を動作させず、先の前記テスト発光手段の動作で補正された記録パワーを用いて前記データ記録手段を動作させる第一記録開始手段とを備えたことを特徴とする請求項１記載の光ディスク装置。
【請求項３】
テスト発光選択手段は上書判定手段が記録開始手前セクタのテスト発光領域で２度書きになると判定した場合に第一記録開始手段を選択することを特徴とする請求項２記載の光ディスク装置。
【請求項４】
装填された情報担体が未記録情報担体か否か判定する未記録ディスク判定手段とを備え、上書判定手段は前記未記録ディスク判定手段が未記録情報担体と判定した場合、テスト発光が２度書きになると判定することを特徴とする請求項２記載の光ディスク装置。
【請求項５】
記録開始手前セクタが未記録領域か否か判定する未記録領域判定手段とを備え、上書判定手段は前記未記録領域判定手段が未記録情報担体と判定した場合、テスト発光が２度書きになると判定することを特徴とする請求項２記載の光ディスク装置。
【請求項６】
上書判定手段は記録開始手前の複数全てのセクタでテスト発光が２度書きになるか否かを判定し、第一記録開始手段はデータ記録開始前に複数セクタのテスト発光領域でテスト発光手段を動作させることを特徴とする請求項２記載の光ディスク装置。
【請求項７】
倍速が閾値を越えたか否かを判定する倍速判定手段とを備え、上書判定手段は前記倍速判定手段が閾値を超えたと判定した場合のみ動作することを特徴とする請求項２記載の光ディスク装置。
【請求項８】
以前の記録から目標パワーが変更されたか否かを判定する目標変更検出手段とを備え、上書判定手段は前記目標変更検出手段が目標パワー変更されたと判定した場合のみ動作することを特徴とする請求項２記載の光ディスク装置。
【請求項９】
以前の記録から温度変化が閾値を越えたか否かを判定する温度変化判定手段とを備え、上書判定手段は前記温度変化判定手段が閾値を超えたと判定した場合のみ動作することを特徴とする請求項２記載の光ディスク装置。
【請求項１０】
以前の記録から時間経過が閾値を越えたか否かを判定する時間経過判定手段とを備え、上書判定手段は前記時間経過判定手段が閾値を超えたと判定した場合のみ動作することを特徴とする請求項２記載の光ディスク装置。
【請求項１１】
第一記録開始手段は記録開始セクタでテスト発光してからデータ記録開始までに異常状態による記録中断が発生した場合、復帰動作後、記録開始セクタでテスト発光手段を動作させずデータ記録開始から再開することを特徴とする請求項２記載の光ディスク装置。
【請求項１２】
記録開始手前セクタのテスト発光領域でテスト発光手段を動作させて、記録先頭セクタに到達した後で、先の前記テスト発光手段の動作で補正された記録パワーを用いてデータ記録手段を動作させる第二記録開始手段とを備えたことを特徴とする請求項１記載の光ディスク装置。
【請求項１３】
テスト発光選択手段は上書判定手段が記録開始手前セクタのテスト発光領域で２度書きにならないと判定した場合に第二記録開始手段を選択することを特徴とする請求項１２記載の光ディスク装置。
【請求項１４】
少なくとも一度データ記録されている情報担体に記録する際、以前の記録動作が同じメーカー製の装置で行われたか否かを判断する記録装置判定手段とを備え、上書判定手段は前記記録装置判定手段が同じメーカー製の装置と判定した場合、テスト発光が２度書きにならないと判定することを特徴とする請求項２または請求項１２記載の光ディスク装置。
【請求項１５】
少なくとも一度データ記録されている情報担体に記録する際、以前の記録動作が同じ商品機種装置で行われたか否かを判断する記録装置判定手段とを備え、上書判定手段は前記記録装置判定手段が同じ商品機種装置と判定した場合、テスト発光が２度書きにならないと判定することを特徴とする請求項２または請求項１２記載の光ディスク装置。
【請求項１６】
少なくとも一度データ記録されている情報担体に記録する際、以前の記録動作が同じ装置で行われたか否かを判断する記録装置判定手段とを備え、上書判定手段は前記記録装置判定手段が同じ装置と判定した場合、テスト発光が２度書きにならないと判定することを特徴とする請求項２または請求項１２記載の光ディスク装置。
【請求項１７】
情報担体からの反射光量を検出する反射光量検出手段とを備え、上書判定手段は前記反射光量検出手段の反射光量を閾値と比較して記録済みと判定した場合、テスト発光が２度書きになると判定することを特徴とする請求項２または請求項１２記載の光ディスク装置。
【請求項１８】
上書判定手段はデータ記録領域における反射光量とテスト発光領域における反射光量から判定することを特徴とする請求項１７記載の光ディスク装置。
【請求項１９】
上書判定手段は記録開始手前の複数全てのセクタでテスト発光が２度書きになるか否かを判定し、第二記録開始手段はデータ記録開始前に複数セクタのテスト発光領域でテスト発光手段を動作させることを特徴とする請求項１２記載の光ディスク装置。
【請求項２０】
第二記録開始手段は記録開始手前セクタでテスト発光してからデータ記録開始までに異常状態による記録中断が発生した場合、復帰動作後、記録開始手前のセクタでテスト発光手段を動作させずデータ記録開始から再開することを特徴とする請求項１２記載の光ディスク装置。
【請求項２１】
記録終了手前のセクタのテスト発光領域ではテスト発光手段を動作させない記録停止手段とを備えたことを特徴とする請求項２または請求項１２記載の光ディスク装置。
【請求項２２】
記録停止手段は記録終了手前の複数のセクタのテスト発光領域ではテスト発光手段を動作させないことを特徴とする請求項２１記載の光ディスク装置。
【請求項２３】
装填された情報担体が追記型情報担体か否か判定する追記型ディスク判定ステップと、テスト発光が２度書きになるか否かを判定する上書判定ステップと、前記追記型ディスク判定ステップにより追記型情報担体であると判定され、前記上書判定ステップにより２度書きになると判定された場合、テスト発光によるパワー補正動作を実施しないことを決定するテスト発光選択ステップと、前記テスト発光選択ステップからの指令に従い、情報担体の記録セクタの先頭のテスト発光領域にて記録パワーでテスト発光し、目標パワーとのずれを補正するテスト発光ステップと、データを情報担体に記録するデータ記録ステップとを備えたことを特徴とするレーザパワー補正方法。
【発明の詳細な説明】
【技術分野】
【０００１】
本発明は、テスト発光することにより、レーザパワー制御ずれを補正してデータ記録する光ディスク装置であって、より具体的には追記型情報担体に対する２度書きを防止することができる光ディスク装置を提供する。
【背景技術】
【０００２】
従来の光ディスク装置では、信号を再生する場合、まず比較的弱い一定の光量の光ビームを情報担体である光ディスク１の上に照射し、光ディスク１によって強弱に変調された反射光を検出して行う。また、信号を記録する場合は、記録する信号に応じて光ビームの光量を強弱に変調して光ディスク１の上の記録材料膜に情報を書き込む。
【０００３】
ここで、光ディスクの種類について説明する。再生専用の光ディスク１は、ピットによる情報があらかじめスパイラル状に記録されている。また、記録および再生可能である光ディスク１は、スパイラル状の凹凸構造のトラックを有する基材表面に、光学的に記録、再生可能な材料膜を蒸着等の手法で形成して作製される。
【０００４】
光ディスク１に記録マークを形成するために、一般に半導体レーザ光源が用いられている。良好な記録マークを形成するためには、半導体レーザをパルス発光させる必要がある。記録スペースの形成には、半導体レーザをバイアスパワーで所定時間にわたって連続発光させる。安定した記録性能を確保するためには、これらの半導体レーザのパワーを正確に制御する必要がある。しかし半導体レーザのパワー特性は周囲温度などに大きく左右される。したがって、記録前に一旦パワー設定して一定の駆動電流を供給したとしてもパワーは一定に保たれる事はなく、半導体レーザの本体または周囲機器の温度上昇によってパワーの変動が発生する。
【０００５】
従来技術における光ディスク装置の動作について図７および図８および図９を参照して説明する。図７にブロック構成を示す。図８（ａ）に低倍速の場合の記録開始器２０が実行するフローチャートの一例を示す。図８（ｂ）に高倍速の場合の記録開始器２０が実行するフローチャートの一例を示す。図９（ａ）に低倍速の場合の記録開始器２０の動作の一例を示し、図９（ｂ）に高倍速の場合の記録開始器２０の動作の一例を示し、図９（ｃ）に高倍速の場合の記録開始器２０の記録開始手前セクタでのテスト発光あり動作の一例を示す。それぞれ、上段が光ディスク１のトラックを示し、下段が記録時のレーザ３２のパワーを示す。
【０００６】
図７において、記録開始器２０は後述するフローに従ってテスト発光指示器２１およびデータ記録器２２に指令を送る。テスト発光指示器２１は記録開始器２０からの指令が示すタイミングに従いテスト発光のためのパルスパターンをパルス発生器２３に送る。データ記録器２２は記録開始器２０からの指令が示すタイミングに従いデータ記録のためのパルスパターンをパルス発生器２３に送る。
【０００７】
パルス発生器２３はテスト発光指示器２１およびデータ記録器２２からのパルスパターンからパルス信号を生成して駆動出力器３１へ送る。駆動生成器３０は記録パワーで発光するための電流指令を駆動出力器３１へ送る。駆動出力器３１はパルス発生器２３からのパルス信号のタイミングで駆動生成器３０からの電流指令に基づいた電流をレーザ３２へ送る。
【０００８】
レーザ３２は駆動出力器３１からの電流に従い光ビームを光ディスク１および光量検出器３３へ送る。光量検出器３３はレーザ３２からの光ビームを検出して、駆動補正器３４へ送る。駆動補正器３４は光量検出器３３からテスト発光時の光ビーム光量を検出して、目標パワーとの差異を補正するように駆動生成器３０の電流指令を補正する。
【０００９】
パワー変動の回避の手段として、一定期間ごとのパワー較正が有効である。例えば、図９（ａ）に示すように、セクタ構造を有する光ディスクフォーマットにおいて、１セクタに１回、レーザパワーを補正するためのテスト発光領域が設けられている。この場合、光ビームの焦点がテスト発光領域を通過するごとに、このテスト発光領域においてテスト発光によるパワー補正を行なうことによってパワー変動を回避できる。
【００１０】
このテスト発光によるパワー補正はテスト発光領域で発光した結果からレーザ３２に流す電流を決めるための演算が必要であり、演算するのに処理時間を要する。図９（ａ）に示すように光ディスク装置が低倍速で用いられている場合には、補正電流の決定がデータ記録領域手前までに終了するため問題にならないが、図９（ｂ）に示すように光ディスク装置が高倍速で用いられている場合には、データ記録領域突入までに補正電流を求める演算が終了せず、データ記録領域先頭では補正前のレーザ３２のパワーで記録を開始することとなる。これに対して、図９（ｃ）に示すように実際に記録を行うセクタの手前セクタにおいて、データ領域における記録は実施しないが、テスト発光領域におけるテスト発光によるパワー補正のみ実施する。このように記録開始手前のセクタでテスト発光によるパワー補正を行うことで、レーザ３２に流す電流を求める演算を次のデータ記録領域までに余裕を持って行なうことができ、高倍速の場合にも、パワー変動を回避した安定したパワーでデータ記録を行うことができる。
【特許文献１】特開２００４−３１９０７３号公報
【発明の開示】
【発明が解決しようとする課題】
【００１１】
ところが、ＢＤ−Ｒのような追記型ディスクの場合、記録開始手前セクタのテスト発光領域は、ランダムアクセスする時等に記録開始手前セクタのデータ領域にデータ記録する際にもテスト発光されるため、追記型ディスクであるにもかかわらず、１つの領域に２度書きをすることとなる。追記型ディスクに２度書きした場合には、記録膜にダメージを与え、光ビームの焦点が光ディスク１のトラックを追従する性能が劣化する可能性がある。
【００１２】
本発明は上述した課題を解決するためになされたものであり、追記型ディスクに２度書きしない光ディスク装置を提供することを目的とする。
【課題を解決するための手段】
【００１３】
本発明の請求項１に係る光ディスク装置では、装填された情報担体が追記型情報担体か否か判定する追記型ディスク判定手段と、情報担体の記録セクタの先頭のテスト発光領域にて記録パワーでテスト発光し、目標パワーとのずれを補正するテスト発光手段と、データを情報担体に記録するデータ記録手段と、テスト発光が２度書きになるか否かを判定する上書判定手段と、追記型ディスク判定手段により追記型情報担体であると判定され、上書判定手段により２度書きになると判定された場合、テスト発光手段の動作を実施しないことを決定するテスト発光選択手段とを備えたことを特徴とする。
【００１４】
さらに、本発明の請求項２に係る光ディスク装置では、記録開始セクタのテスト発光領域にてテスト発光手段を動作させた直後はデータ記録手段を動作させず一旦通過し、記録開始セクタへ戻った後で記録先頭セクタのテスト発光領域にてテスト発光手段を動作させず、先のテスト発光手段の動作で補正された記録パワーを用いてデータ記録手段を動作させる第一記録開始手段とを備えたことを特徴とする。
【００１５】
さらに、本発明の請求項３に係る光ディスク装置では、テスト発光選択手段は上書判定手段が記録開始手前セクタのテスト発光領域で２度書きになると判定した場合に第一記録開始手段を選択することを特徴とする。
【００１６】
さらに、本発明の請求項４に係る光ディスク装置では、装填された情報担体が未記録情報担体か否か判定する未記録ディスク判定手段とを備え、上書判定手段は未記録ディスク判定手段が未記録情報担体と判定した場合、テスト発光が２度書きになると判定することを特徴とする。
【００１７】
さらに、本発明の請求項５に係る光ディスク装置では、記録開始手前セクタが未記録領域か否か判定する未記録領域判定手段とを備え、上書判定手段は未記録領域判定手段が未記録情報担体と判定した場合、テスト発光が２度書きになると判定することを特徴とする。
【００１８】
さらに、本発明の請求項６に係る光ディスク装置では、上書判定手段は記録開始手前の複数全てのセクタでテスト発光が２度書きになるか否かを判定し、第一記録開始手段はデータ記録開始前に複数セクタのテスト発光領域でテスト発光手段を動作させることを特徴とする。
【００１９】
さらに、本発明の請求項７に係る光ディスク装置では、倍速が閾値を越えたか否かを判定する倍速判定手段とを備え、上書判定手段は倍速判定手段が閾値を超えたと判定した場合のみ動作することを特徴とする。
【００２０】
さらに、本発明の請求項８に係る光ディスク装置では、以前の記録から目標パワーが変更されたか否かを判定する目標変更検出手段とを備え、上書判定手段は目標変更検出手段が目標パワー変更されたと判定した場合のみ動作することを特徴とする。
【００２１】
さらに、本発明の請求項９に係る光ディスク装置では、以前の記録から温度変化が閾値を越えたか否かを判定する温度変化判定手段とを備え、上書判定手段は温度変化判定手段が閾値を超えたと判定した場合のみ動作することを特徴とする。
【００２２】
さらに、本発明の請求項１０に係る光ディスク装置では、以前の記録から時間経過が閾値を越えたか否かを判定する時間経過判定手段とを備え、上書判定手段は時間経過判定手段が閾値を超えたと判定した場合のみ動作することを特徴とする。
【００２３】
さらに、本発明の請求項１１に係る光ディスク装置では、第一記録開始手段は記録開始セクタでテスト発光してからデータ記録開始までに異常状態による記録中断が発生した場合、復帰動作後、記録開始セクタでテスト発光手段を動作させずデータ記録開始から再開することを特徴とする。
【００２４】
さらに、本発明の請求項１２に係る光ディスク装置では、記録開始手前セクタのテスト発光領域でテスト発光手段を動作させて、記録先頭セクタに到達した後で、先のテスト発光手段の動作で補正された記録パワーを用いてデータ記録手段を動作させる第二記録開始手段とを備えたことを特徴とする。
【００２５】
さらに、本発明の請求項１３に係る光ディスク装置では、テスト発光選択手段は上書判定手段が記録開始手前セクタのテスト発光領域で２度書きにならないと判定した場合に第二記録開始手段を選択することを特徴とする。
【００２６】
さらに、本発明の請求項１４に係る光ディスク装置では、少なくとも一度データ記録されている情報担体に記録する際、以前の記録動作が同じメーカー製の装置で行われたか否かを判断する記録装置判定手段とを備え、上書判定手段は記録装置判定手段が同じメーカー製の装置と判定した場合、テスト発光が２度書きにならないと判定することを特徴とする。
【００２７】
さらに、本発明の請求項１５に係る光ディスク装置では、少なくとも一度データ記録されている情報担体に記録する際、以前の記録動作が同じ商品機種装置で行われたか否かを判断する記録装置判定手段とを備え、上書判定手段は記録装置判定手段が同じ商品機種装置と判定した場合、テスト発光が２度書きにならないと判定することを特徴とする。
【００２８】
さらに、本発明の請求項１６に係る光ディスク装置では、少なくとも一度データ記録されている情報担体に記録する際、以前の記録動作が同じ装置で行われたか否かを判断する記録装置判定手段とを備え、上書判定手段は記録装置判定手段が同じ装置と判定した場合、テスト発光が２度書きにならないと判定することを特徴とする。
【００２９】
さらに、本発明の請求項１７に係る光ディスク装置では、情報担体からの反射光量を検出する反射光量検出手段とを備え、上書判定手段は反射光量検出手段の反射光量を閾値と比較して記録済みと判定した場合、テスト発光が２度書きになると判定することを特徴とする。
【００３０】
さらに、本発明の請求項１８に係る光ディスク装置では、上書判定手段はデータ記録領域における反射光量とテスト発光領域における反射光量から判定することを特徴とする。
【００３１】
さらに、本発明の請求項１９に係る光ディスク装置では、上書判定手段は記録開始手前の複数全てのセクタでテスト発光が２度書きになるか否かを判定し、第二記録開始手段はデータ記録開始前に複数セクタのテスト発光領域でテスト発光手段を動作させることを特徴とする。
【００３２】
さらに、本発明の請求項２０に係る光ディスク装置では、第二記録開始手段は記録開始手前セクタでテスト発光してからデータ記録開始までに異常状態による記録中断が発生した場合、復帰動作後、記録開始手前のセクタでテスト発光手段を動作させずデータ記録開始から再開することを特徴とする。
【００３３】
さらに、本発明の請求項２１に係る光ディスク装置では、記録終了手前のセクタのテスト発光領域ではテスト発光手段を動作させない記録停止手段とを備えたことを特徴とする。
【００３４】
さらに、本発明の請求項２２に係る光ディスク装置では、記録停止手段は記録終了手前の複数のセクタのテスト発光領域ではテスト発光手段を動作させないことを特徴とする。
【００３５】
また、本発明の請求項２３に係るレーザパワー補正方法では、装填された情報担体が追記型情報担体か否か判定する追記型ディスク判定ステップと、テスト発光が２度書きになるか否かを判定する上書判定ステップと、追記型ディスク判定ステップにより追記型情報担体であると判定され、上書判定ステップにより２度書きになると判定された場合、テスト発光によるパワー補正動作を実施しないことを決定するテスト発光選択ステップと、テスト発光選択ステップからの指令に従い、情報担体の記録セクタの先頭のテスト発光領域にて記録パワーでテスト発光し、目標パワーとのずれを補正するテスト発光ステップと、データを情報担体に記録するデータ記録ステップとを備えたことを特徴とする。
【発明の効果】
【００３６】
本発明の請求項１に係る光ディスク装置では、装填された情報担体が追記型情報担体か否か判定する追記型ディスク判定手段と、情報担体の記録セクタの先頭のテスト発光領域にて記録パワーでテスト発光し、目標パワーとのずれを補正するテスト発光手段と、データを情報担体に記録するデータ記録手段と、テスト発光が２度書きになるか否かを判定する上書判定手段と、追記型ディスク判定手段により追記型情報担体であると判定され、上書判定手段により２度書きになると判定された場合、テスト発光手段の動作を実施しないことを決定するテスト発光選択手段とを備えたので、追記型ディスクにおいて２度書きすることなく記録膜の劣化を防ぐことができる。
【００３７】
さらに、本発明の請求項２に係る光ディスク装置では、記録開始セクタのテスト発光領域にてテスト発光手段を動作させた直後はデータ記録手段を動作させず一旦通過し、記録開始セクタへ戻った後で記録先頭セクタのテスト発光領域にてテスト発光手段を動作させず、先のテスト発光手段の動作で補正された記録パワーを用いてデータ記録手段を動作させる第一記録開始手段とを備えたので、ドライブ互換性に影響与えることなく記録膜の劣化を防ぐことができる。
【００３８】
さらに、本発明の請求項３に係る光ディスク装置では、テスト発光選択手段は上書判定手段が記録開始手前セクタのテスト発光領域で２度書きになると判定した場合に第一記録開始手段を選択するので、最適なテスト発光によるパワー補正動作を選択することができる。
【００３９】
さらに、本発明の請求項４に係る光ディスク装置では、装填された情報担体が未記録情報担体か否か判定する未記録ディスク判定手段とを備え、上書判定手段は未記録ディスク判定手段が未記録情報担体と判定した場合、テスト発光が２度書きになると判定するので、未記録ディスクにおいてデータ書き込み領域以外でのテスト発光領域の消費を防ぐことができる。
【００４０】
さらに、本発明の請求項５に係る光ディスク装置では、記録開始手前セクタが未記録領域か否か判定する未記録領域判定手段とを備え、上書判定手段は未記録領域判定手段が未記録情報担体と判定した場合、テスト発光が２度書きになると判定するので、未記録領域でのテスト発光領域の消費を防ぐことができる。
【００４１】
さらに、本発明の請求項６に係る光ディスク装置では、上書判定手段は記録開始手前の複数全てのセクタでテスト発光が２度書きになるか否かを判定し、第一記録開始手段はデータ記録開始前に複数セクタのテスト発光領域でテスト発光手段を動作させるので、テスト発光によるパワー補正動作を複数回行うことで調整精度を向上することができる。
【００４２】
さらに、本発明の請求項７に係る光ディスク装置では、倍速が閾値を越えたか否かを判定する倍速判定手段とを備え、上書判定手段は倍速判定手段が閾値を超えたと判定した場合のみ動作するので、テスト発光によるパワー補正動作せずとも記録パワー精度保たれる場合に判定時間等の悪影響を抑制することができる。
【００４３】
さらに、本発明の請求項８に係る光ディスク装置では、以前の記録から目標パワーが変更されたか否かを判定する目標変更検出手段とを備え、上書判定手段は目標変更検出手段が目標パワー変更されたと判定した場合のみ動作するので、テスト発光によるパワー補正動作せずとも記録パワー精度保たれる場合に判定時間等の悪影響を抑制することができる。
【００４４】
さらに、本発明の請求項９に係る光ディスク装置では、以前の記録から温度変化が閾値を越えたか否かを判定する温度変化判定手段とを備え、上書判定手段は温度変化判定手段が閾値を超えたと判定した場合のみ動作するので、テスト発光によるパワー補正動作せずとも記録パワー精度保たれる場合に判定時間等の悪影響を抑制することができる。
【００４５】
さらに、本発明の請求項１０に係る光ディスク装置では、以前の記録から時間経過が閾値を越えたか否かを判定する時間経過判定手段とを備え、上書判定手段は時間経過判定手段が閾値を超えたと判定した場合のみ動作するので、テスト発光によるパワー補正動作せずとも記録パワー精度保たれる場合に判定時間等の悪影響を抑制することができる。
【００４６】
さらに、本発明の請求項１１に係る光ディスク装置では、第一記録開始手段は記録開始セクタでテスト発光してからデータ記録開始までに異常状態による記録中断が発生した場合、復帰動作後、記録開始セクタでテスト発光手段を動作させずデータ記録開始から再開するので、異常状態発生時も追記型ディスクに対する２度書きを回避することができる。
【００４７】
さらに、本発明の請求項１２に係る光ディスク装置では、記録開始手前セクタのテスト発光領域でテスト発光手段を動作させて、記録先頭セクタに到達した後で、先のテスト発光手段の動作で補正された記録パワーを用いてデータ記録手段を動作させる第二記録開始手段とを備えたので、記録アクセス時間に影響与えることなく記録膜の劣化を防ぐことができる。
【００４８】
さらに、本発明の請求項１３に係る光ディスク装置では、テスト発光選択手段は上書判定手段が記録開始手前セクタのテスト発光領域で２度書きにならないと判定した場合に第二記録開始手段を選択するので、最適なテスト発光によるパワー補正動作を選択することができる。
【００４９】
さらに、本発明の請求項１４に係る光ディスク装置では、少なくとも一度データ記録されている情報担体に記録する際、以前の記録動作が同じメーカー製の装置で行われたか否かを判断する記録装置判定手段とを備え、上書判定手段は記録装置判定手段が同じメーカー製の装置と判定した場合、テスト発光が２度書きにならないと判定するので、測定を追加することなく最適なテスト発光によるパワー補正動作を選択することができる。
【００５０】
さらに、本発明の請求項１５に係る光ディスク装置では、少なくとも一度データ記録されている情報担体に記録する際、以前の記録動作が同じ商品機種装置で行われたか否かを判断する記録装置判定手段とを備え、上書判定手段は記録装置判定手段が同じ商品機種装置と判定した場合、テスト発光が２度書きにならないと判定するので、測定を追加することなく最適なテスト発光によるパワー補正動作を選択することができる。
【００５１】
さらに、本発明の請求項１６に係る光ディスク装置では、少なくとも一度データ記録されている情報担体に記録する際、以前の記録動作が同じ装置で行われたか否かを判断する記録装置判定手段とを備え、上書判定手段は記録装置判定手段が同じ装置と判定した場合、テスト発光が２度書きにならないと判定するので、測定を追加することなく最適なテスト発光によるパワー補正動作を選択することができる。
【００５２】
さらに、本発明の請求項１７に係る光ディスク装置では、情報担体からの反射光量を検出する反射光量検出手段とを備え、上書判定手段は反射光量検出手段の反射光量を閾値と比較して記録済みと判定した場合、テスト発光が２度書きになると判定するので、ディスクに専用情報を追記することなく最適なテスト発光によるパワー補正動作を選択することができる。
【００５３】
さらに、本発明の請求項１８に係る光ディスク装置では、上書判定手段はデータ記録領域における反射光量とテスト発光領域における反射光量から判定するので、テスト発光によるパワー補正動作選択判断を安定化することができる。
【００５４】
さらに、本発明の請求項１９に係る光ディスク装置では、上書判定手段は記録開始手前の複数全てのセクタでテスト発光が２度書きになるか否かを判定し、第二記録開始手段はデータ記録開始前に複数セクタのテスト発光領域でテスト発光手段を動作させるので、テスト発光によるパワー補正動作を複数回行うことで調整精度を向上することができる。
【００５５】
さらに、本発明の請求項２０に係る光ディスク装置では、第二記録開始手段は記録開始手前セクタでテスト発光してからデータ記録開始までに異常状態による記録中断が発生した場合、復帰動作後、記録開始手前のセクタでテスト発光手段を動作させずデータ記録開始から再開するので、異常状態発生時も追記型ディスクに対する２度書きを回避することができる。
【００５６】
さらに、本発明の請求項２１に係る光ディスク装置では、記録終了手前のセクタのテスト発光領域ではテスト発光手段を動作させない記録停止手段とを備えたので、継続したセクタへ記録する時に記録アクセス時間悪化の少ないテスト発光によるパワー補正動作を選択することができる。
【００５７】
さらに、本発明の請求項２２に係る光ディスク装置では、記録停止手段は記録終了手前の複数のセクタのテスト発光領域ではテスト発光手段を動作させないので、テスト発光によるパワー補正動作を複数回行うことで調整精度を向上することができる。
【００５８】
また、本発明の請求項２３に係るレーザパワー補正方法では、装填された情報担体が追記型情報担体か否か判定する追記型ディスク判定ステップと、テスト発光が２度書きになるか否かを判定する上書判定ステップと、追記型ディスク判定ステップにより追記型情報担体であると判定され、上書判定ステップにより２度書きになると判定された場合、テスト発光によるパワー補正動作を実施しないことを決定するテスト発光選択ステップと、テスト発光選択ステップからの指令に従い、情報担体の記録セクタの先頭のテスト発光領域にて記録パワーでテスト発光し、目標パワーとのずれを補正するテスト発光ステップと、データを情報担体に記録するデータ記録ステップとを備えたので、追記型ディスクにおいて２度書きすることなく記録膜の劣化を防ぐことができる。
【発明を実施するための最良の形態】
【００５９】
以下、本発明の実施の形態について、図面を参照しながら説明する。
【００６０】
（実施の形態１）
本実施の形態１である光ディスク装置の動作について図１および図２および図３および図４を参照して説明する。図１にブロック構成を示す。図２に記録開始器２０が実行するフローチャートの一例を示す。図３（ａ）に記録開始前の記録状態の一例を示し、図３（ｂ）に記録開始時における記録開始器２０の動作の一例を示す。図４（ａ）に記録開始前の記録状態の一例を示し、図４（ｂ）に記録時における記録終了動作の一例を示す。
【００６１】
図１において、追記型ディスク判定手段はディスク判別器１１である。テスト発光手段はテスト発光指示器２１および駆動補正器３４である。データ記録手段はデータ記録器２２である。上書判定手段は上書判定器１２である。テスト発光選択手段はテスト発光選択器１３である。第一記録開始手段は記録開始器２０である。反射光量検出手段は反射光量検出器１０である。
【００６２】
図１において、反射光量検出器１０は光ディスク１からの反射光を検出して、上書判定器１２およびディスク判別器１１へ送る。ディスク判別器１１は反射光量検出器１０からの反射光量の和が所定の範囲に入っていれば追記型ディスクであると判別して、テスト発光選択器１３へ送る。なお、ディスク判別の方法については、一般的に用いられている方法を用いるのでここでの説明は省略する。
【００６３】
上書判定器１２は反射光量検出器１０からの反射光量の和が所定以下であれば、該当する光ディスク１の領域は既に記録されており、次の記録で使用すると２度書きになると判定して、テスト発光選択器１３へ送る。
【００６４】
テスト発光選択器１３はディスク判別器１１からの情報が装填されたディスクは追記型ディスク以外であると示し、さらに、上書判定器１２からの情報が２度書きではないと示した場合に、テスト発光によるパワー補正方法として前セクタ型を選択し、記録開始器２０へ送る。前セクタ型については後述するため、ここでの説明は省略する。
【００６５】
記録開始器２０はテスト発光選択器１３からの情報が同セクタ型であると示した場合に、後述するフローに従ってテスト発光指示器２１およびデータ記録器２２に指令を送る。
【００６６】
テスト発光指示器２１は記録開始器２０からの指令が示すタイミングに従いテスト発光のためのパルスパターンをパルス発生器２３に送る。データ記録器２２は記録開始器２０からの指令が示すタイミングに従いデータ記録のためのパルスパターンをパルス発生器２３に送る。
【００６７】
パルス発生器２３はテスト発光指示器２１およびデータ記録器２２からのパルスパターンからパルス信号を生成して駆動出力器３１へ送る。駆動生成器３０は記録パワーで発光するための電流指令を駆動出力器３１へ送る。
【００６８】
駆動出力器３１はパルス発生器２３からのパルス信号のタイミングで駆動生成器３０からの電流指令に基づいた電流をレーザ３２へ送る。レーザ３２は駆動出力器３１からの電流に従い光ビームを光ディスク１および光量検出器３３へ送る。光量検出器３３はレーザ３２からの光ビームを検出して、駆動補正器３４へ送る。駆動補正器３４は光量検出器３３からテスト発光時の光ビーム光量を検出して、目標パワーとの差異を補正するように駆動生成器３０の電流指令を補正する。
【００６９】
以下、光ディスク装置における前セクタ型の記録開始動作の概略について図２を用いてステップごとに説明する。
【００７０】
ステップＳ１０１として、ディスク判別器１１が光ディスク１を判別して追記型ディスクならステップＳ１０２へ遷移し、それ以外ならステップＳ１１２へ遷移する。
【００７１】
ステップＳ１０２として、光ビームの焦点が記録開始手前セクタに到達するまで待機する。
【００７２】
ステップＳ１０３として、記録開始手前セクタのテスト発光領域における反射光量を測定する。
【００７３】
ステップＳ１０４として、上書判定器１２が、測定された反射光量が所定値より大きければ未記録であると判定して前セクタ型のテスト発光によるパワー補正を行うためステップＳ１０５へ遷移し、測定された反射光量が所定値より小さければ記録済であると判定してステップＳ１０６へ遷移する。
【００７４】
ステップＳ１０５として、記録開始手前セクタにおいて、記録開始器２０からの指令に従いテスト発光指示器２１がテスト発光領域においてテスト発光のためのパルスパターンを出力することでテスト発光を行い、記録パワーを補正する。
【００７５】
ステップＳ１０６として、光ビームの焦点が記録開始セクタに到達するまで待機する。
【００７６】
ステップＳ１０７として、記録しようとするセクタが最後の記録セクタとなるか否かを判定する。判定の結果最後の記録セクタであればＳ１１０へ、最後の記録セクタでなければＳ１０８へ遷移する。
【００７７】
ステップＳ１０８として、記録開始セクタにおいて、記録開始器２０からの指令に従いテスト発光指示器２１がテスト発光領域においてテスト発光のためのパルスパターンを出力することでテスト発光を行い、記録パワーを補正する。
【００７８】
ステップＳ１０９として、データ記録器２２が記録開始器２０からの指令に従い、データ記録領域においてデータ記録を行うためのパルスパターンを出力し、テスト発光で補正された記録パワーで記録を行なう。データ記録後はステップＳ１０６に遷移する。
【００７９】
ステップＳ１１０は、最後の記録セクタにおいて、テスト発光領域でテスト発光せずにデータを記録する。その際、直前にテスト発光を行なって補正した記録パワーを用いて記録する。もちろんその他の記録パワーを用いてデータを記録してもよい。
【００８０】
図３を用いて、記録開始の場合について説明する。図３（ａ）では、ハッチングされている領域が既に記録されている領域である。未記録領域先頭から記録を開始する際、記録開始手前セクタのテスト発光領域は未記録であるため使用することができる。そのため、図３（ｂ）に示すように、記録開始手前セクタのテスト発光領域においてテスト発光によるパワー補正のみを行い、データ記録は開始しない。また、光ビームの焦点が再び記録先頭セクタに到達したときに、テスト発光領域においてテスト発光によるパワー補正を行ないデータ記録を開始する。記録先頭セクタを含む以後のテスト発光領域では、以前のテスト発光によるパワー補正からのパワーのずれ量が小さいことから、電流演算による処理時間でパワー更新が遅れても問題にならないため従来どおりにテスト発光によるパワー補正を行う。
【００８１】
図４を用いて、さらに記録停止時について説明する。図４（ａ）では、ハッチングされている領域が既に記録されている領域である。未記録領域先頭から記録を開始する際、本発明の光ディスク装置によれば記録開始手前セクタのテスト発光領域は未記録であるためテスト発光に使用することができる。
【００８２】
図４に示すように、図内後ろ３セクタの記録を行う際に、最後の記録セクタにおいてテスト発光領域においてテスト発光によるパワー補正を行わない。こうすることで、さらに続きのセクタに記録する際に、当該未使用のテスト発光領域を用いたテスト発光によるパワー補正を行うことができる。
【００８３】
このようにして、本実施の形態１にかかる光ディスク装置は、記録終了時に、最後の記録セクタのテスト発光領域を未使用とすることで、継続したセクタへの記録開始時に、記録開始手前セクタのテスト発光領域において２度書きを防止することが出来る。また、継続してデータを記録する場合には、記録開始手前セクタのテスト発光領域が未使用であるため、安定して継続した記録開始を行なうことができる。
【００８４】
尚、本実施の形態１では、テスト発光領域における反射光量の絶対値によって記録開始手前セクタのテスト発光領域の記録状態を判定したが、データ領域における反射光量とテスト発光領域における反射光量の比によって記録開始手前セクタのテスト発光領域の記録状態を判定してもよい。
【００８５】
また、本実施の形態１では、テスト発光領域における反射光量によって記録開始手前セクタのテスト発光領域の記録状態を判定したが、以前の記録を行った光ディスク装置がこれから記録しようとする光ディスク装置と同じメーカー製であること、あるいは同じ機種であること、あるいは同一の光ディスク装置であることを検出して、同じ場合に記録開始手前セクタのテスト発光領域が未記録であると判定してもよい。
【００８６】
また、本実施の形態１では、テスト発光領域における反射光量によって記録開始手前セクタのテスト発光領域の記録状態を判定したが、光ディスク１が一切記録されていないディスクであること、あるいは記録開始手前セクタのデータ領域が未記録であることを検出して未記録である場合に記録開始手前セクタのテスト発光領域が記録済みであると判定してもよい。これは、記録開始手前セクタを後から記録する際に、記録開始手前セクタのテスト発光領域でのテスト発光によるパワー補正を行えるようにするためである。
【００８７】
また、本実施の形態１では、テスト発光領域における反射光量が小さいと記録済みと判定したが、反射光量が大きいと記録済みと判定してもよい。これは、光ディスク種類によって、記録すると反射光量が下がるものと上がるものがあるためである。
【００８８】
また、本実施の形態１では、記録開始手前の１セクタを用いてテスト発光によるパワー補正を行うとしたが、記録開始手前の複数のセクタを対象にしてもよい。その場合、記録開始手前セクタのテスト発光領域の記録状態を判定も複数のセクタ全てが未記録か否かを判定することとなり、記録終了時に未記録として空けておくテスト発光領域も複数セクタ分となる。
【００８９】
また、本実施の形態１では、光ディスク１が追記型ディスクである場合に常に記録開始手前セクタの記録状態を確認してテスト発光によるパワー補正方法を選択したが、記録倍速が所定以上である場合に限定、あるいは目標パワーが変更された場合に限定、あるいは温度変化が所定以上である場合に限定、あるいは以前のテスト発光によるパワー補正からの経過時間が所定以上である場合に限定してもよい。これは、従来どおりに記録開始セクタのテスト発光領域でテスト発光によるパワー補正によってデータ記録開始までに補正電流が求められなくて、以前の電流値を用いても問題にならない場合に、記録開始までの処理時間を削減するためである。
【００９０】
また、本実施の形態１において、テスト発光によるパワー補正からデータ記録までに光ビームの焦点がトラック追従異常などで記録動作を中断した場合に、記録再開時には、データ記録から再開してもよい。これは、再開時にテスト発光による２度書きを防止するためである。
【００９１】
また、本実施の形態１において、記録終了時に最終セクタでテスト発光によるパワー補正を行わない場合に、レーザ３２への電流を変化させず同じとしてもよいし、あるいはさらに手前のセクタにおけるテスト発光によるパワー補正時の電流補正量から線形補完で求めてもよい。
【００９２】
（実施の形態２）
本実施の形態２である光ディスク装置の動作について図１および図５および図６を参照して説明する。図１にブロック構成を示す。図５に記録開始器２０が実行するフローチャートの一例を示す。図６（ａ）に記録開始前の記録状態の一例を示し、図６（ｂ）に記録開始時１周目における記録開始器２０の動作の一例を示し、図６（ｃ）に記録開始時２周目における記録開始器２０の動作の一例を示す。
【００９３】
光ディスク装置の構成については、以下のステップで異なる処理をする構成要素以外は実施の形態１と同様であるため、その説明を省略し、実施の形態１と異なるところを以下説明する。
【００９４】
以下、本実施の形態２にかかる光ディスク装置において、記録開始動作の概略について図５を用いてステップごとに説明する。
【００９５】
ステップＳ１０４までは実施の形態１と同様であるためここではその説明を省略する。
【００９６】
ステップＳ５０１として、光ビームの焦点が記録開始セクタに到達するまで待機する。
【００９７】
ステップＳ５０２として、記録開始器２０からの指令に従いテスト発光指示器２１がテスト発光領域においてテスト発光のためのパルスパターンを出力することで、テスト発光を行い、記録パワーを補正する。
【００９８】
ステップＳ５０３として、データ記録のために再び記録開始セクタに到達できるように、光ビームの焦点を１トラック戻す。
【００９９】
ステップＳ５０４として、光ビームの焦点が記録開始セクタに到達するまで待機する。
【０１００】
ステップＳ５０５として、記録開始器２０から指令を出さず、このセクタのテスト領域でテスト発光によるパワー補正を行わない。
【０１０１】
ステップＳ５０６として、記録開始器２０からの指令に従いデータ記録器２２がデータ記録領域においてデータ記録を行うためのパルスパターンを出力することで、記録を開始する。
【０１０２】
記録開始セクタの記録が終了すれば、ステップＳ１０６へ遷移し、データ記録が終了するまでステップＳ１０６〜ステップＳ５０７を繰り返す。
【０１０３】
図６を用いて、さらに説明する。図６（ａ）では、ハッチングされている領域が既に記録されている領域である。未記録領域先頭から記録を開始する際、記録開始手前セクタのテスト発光領域は記録済みであるため使用することができない。そのため、図３（ｂ）に示すように、記録先頭セクタのテスト発光領域においてテスト発光によるパワー補正のみを行いデータ記録は開始しない。
【０１０４】
さらに、図３（ｃ）に示すように、１トラック分戻ったあと光ビームの焦点が再び記録先頭セクタに到達したときに、今度はテスト発光領域においてテスト発光によるパワー補正を行わずデータ記録を開始する。記録先頭セクタより後のテスト発光領域では、以前のテスト発光によるパワー補正からのパワーのずれ量が小さいことから、電流演算による処理時間でパワー更新が遅れても問題にならないため従来どおりにテスト発光によるパワー補正を行う。
【０１０５】
このようにして、記録開始手前セクタのテスト発光領域が記録済みである場合に、記録開始セクタのテスト発光領域におけるテスト発光によるパワー補正とデータ記録とを時間的にずらすことで、追記型ディスクにおいて２度書きすることなく記録膜の劣化を防ぐことができる。
【０１０６】
尚、本実施の形態２では、テスト発光領域における反射光量の絶対値によって記録開始手前セクタのテスト発光領域の記録状態を判定したが、データ領域における反射光量とテスト発光領域における反射光量の比によって記録開始手前セクタのテスト発光領域の記録状態を判定してもよい。
【０１０７】
また、本実施の形態２では、テスト発光領域における反射光量によって記録開始手前セクタのテスト発光領域の記録状態を判定したが、以前の記録を行った光ディスク装置がこれから記録しようとする光ディスク装置と同じメーカー製であること、あるいは同じ機種であること、あるいは同一の光ディスク装置であることを検出して、同じ場合に記録開始手前セクタのテスト発光領域が未記録であると判定してもよい。
【０１０８】
また、本実施の形態２では、テスト発光領域における反射光量によって記録開始手前セクタのテスト発光領域の記録状態を判定したが、光ディスク１が一切記録されていないディスクであること、あるいは記録開始手前セクタのデータ領域が未記録であることを検出して未記録である場合に記録開始手前セクタのテスト発光領域が記録済みであると判定してもよい。これは、記録開始手前セクタを後から記録する際に、記録開始手前セクタのテスト発光領域でのテスト発光によるパワー補正を行えるようにするためである。
【０１０９】
また、本実施の形態２では、テスト発光領域における反射光量が小さいと記録済みと判定したが、反射光量が大きいと記録済みと判定してもよい。これは、光ディスク種類によって、記録すると反射光量が下がるものと上がるものがあるためである。
【０１１０】
また、本実施の形態２では、記録開始手前の１セクタを用いてテスト発光によるパワー補正を行うとしたが、記録開始手前の複数のセクタを対象にしてもよい。その場合、記録開始手前セクタのテスト発光領域の記録状態を判定も複数のセクタ全てが未記録か否かを判定することとなる。
【０１１１】
また、本実施の形態２では、光ディスク１が追記型ディスクである場合に常に記録開始手前セクタの記録状態を確認してテスト発光によるパワー補正方法を選択したが、記録倍速が所定以上である場合に限定、あるいは目標パワーが変更された場合に限定、あるいは温度変化が所定以上である場合に限定、あるいは以前のテスト発光によるパワー補正からの経過時間が所定以上である場合に限定してもよい。これは、従来どおりに記録開始セクタのテスト発光領域でテスト発光によるパワー補正によってデータ記録開始までに補正電流が求められなくて、以前の電流値を用いても問題にならない場合に、記録開始までの処理時間を削減するためである。
【０１１２】
また、本実施の形態２において、記録開始手前セクタのテスト発光領域の記録状態によってテスト発光によるパワー補正方法を選択したが、常に本実施の形態２に示すテスト発光によるパワー補正方法を選択してもよい。
【０１１３】
また、本実施の形態２において、テスト発光によるパワー補正からデータ記録までに光ビームの焦点がトラック追従異常などで記録動作を中断した場合に、記録再開時には、データ記録から再開してもよい。これは、再開時にテスト発光による２度書きを防止するためである。
【０１１４】
（実施の形態３）
本実施の形態３にかかる光ディスク装置は、実施の形態１の前セクタ型のテスト発光方式と実施の形態２の同セクタ型のテスト発光方式とを組み合わせた構成をとる。つまり、ディスクが追記型ディスク、かつ記録開始手前セクタのテスト発光領域が記録済であれば同セクタ型を選択し、ディスクが追記型以外、またはディスクが追記型ディスクかつ記録開始手前セクタのテスト発光領域が未記録であれば、前セクタ型を選択する。
【０１１５】
かかる構成によれば、どのようなディスクであってもテスト発光領域への２度書きを防止することができ、さらには、倍速があがった場合であっても、記録パワーの補正にかかる時間に余裕が持てるので記録領域で記録パワーが変更することはなく安定したデータ記録を行なうことができる。
【産業上の利用可能性】
【０１１６】
本発明は、記録を行うことのできる追記型ディスクに記録あるいは再生を行う際に、レーザパワー制御を行う光ディスク装置に利用可能である。
【図面の簡単な説明】
【０１１７】
【図１】実施の形態１におけるブロック構成を示す図
【図２】実施の形態１における記録開始器が実行するフローチャート
【図３】（ａ）実施の形態１における記録開始前の記録状態の一例を示す図（ｂ）実施の形態１における記録開始時における記録開始器の動作の一例を示す図
【図４】（ａ）実施の形態１における記録開始前の記録状態の一例を示す図（ｂ）実施の形態１における記録時における記録動作の一例を示す図
【図５】実施の形態２における記録開始器が実行するフローチャート
【図６】（ａ）実施の形態２における記録開始前の記録状態の一例を示す図（ｂ）実施の形態２における記録開始時１周目における記録開始器の動作の一例を示す図（ｃ）実施の形態２における記録開始時２周目における記録開始器の動作の一例を示す図
【図７】従来の技術におけるブロック構成を示す図
【図８】（ａ）従来の技術における低倍速時の記録開始器が実行するフローチャート（ｂ）従来の技術における高倍速時の記録開始器が実行するフローチャート
【図９】（ａ）従来の技術における低倍速時の記録開始器の動作の一例を示す図（ｂ）従来の技術における高倍速時の記録開始器の動作の一例を示す図（ｃ）従来の技術における高倍速時の記録開始器の記録開始手前セクタでのテスト発光あり動作の一例を示す図
【符号の説明】
【０１１８】
１    光ディスク
１０    反射光量検出器
１１    ディスク判別器
１２    上書判定器
１３    テスト発光選択器
２０    記録開始器
２１    テスト発光指示器
２２    データ記録器
２３    パルス発生器
３０    駆動生成器
３１    駆動出力器
３２    レーザ
３３    光量検出器
３４    駆動補正器
【図１】
2009123262.tif 000003
【図２】
2009123262.tif 000004
【図３】
2009123262.tif 000005
【図４】
2009123262.tif 000006
【図５】
2009123262.tif 000007
【図６】
2009123262.tif 000008
【図７】
2009123262.tif 000009
【図８】
2009123262.tif 000010
【図９】
2009123262.tif 000011